(57)【特許請求の範囲】
【請求項１】
長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、前記長手方向に沿って間隔をおいて複数形成されており、
前記第２の溝および前記第３の溝は、それぞれ、前記長手方向に隣り合う前記第１の溝同士の間に少なくとも１本ずつ配置され、前記第１の溝と連通していないことを特徴とする樹脂フィルム加工装置。
【請求項２】
長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、前記長手方向に沿って間隔をおいて複数形成されており、
前記第２の溝および前記第３の溝は、それぞれ、前記長手方向に隣り合う前記第１の溝同士の間に少なくとも１本ずつ配置され、前記第１の溝と連通していることを特徴とする樹脂フィルム加工装置。
【請求項３】
前記各第２の溝は、それぞれ、前記長手方向に対する傾斜角度が同じであり、
前記各第３の溝は、それぞれ、前記長手方向に対する傾斜角度が同じである請求項１または２に記載の樹脂フィルム加工装置。
【請求項４】
前記長手方向に隣り合う前記第２の溝同士は、前記長手方向に対する傾斜角度が異なり、
前記長手方向に隣り合う前記第３の溝同士は、前記長手方向に対する傾斜角度が異なる請求項３に記載の樹脂フィルム加工装置。
【請求項５】
前記長手方向に隣り合う前記第２の溝同士のうち、前記中央部側に位置する前記第２の溝の傾斜角度は、前記一端側に位置する前記第２の溝の傾斜角度よりも大きく、
前記長手方向に隣り合う前記第３の溝同士のうち、前記中央部側に位置する前記第３の溝の傾斜角度は、前記他端側に位置する前記第３の溝の傾斜角度よりも大きい請求項４に記載の樹脂フィルム加工装置。
【請求項６】
前記長手方向に隣り合う前記第２の溝同士のうち、前記中央部側に位置する前記第２の溝の傾斜角度は、前記一端側に位置する前記第２の溝の傾斜角度よりも小さく、
前記長手方向に隣り合う前記第３の溝同士のうち、前記中央部側に位置する前記第３の溝の傾斜角度は、前記他端側に位置する前記第３の溝の傾斜角度よりも小さい請求項４に記載の樹脂フィルム加工装置。
【請求項７】
長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第２の溝および前記第３の溝は、それぞれ、その深さが前記第１の溝の深さよりも浅いことを特徴とする樹脂フィルム加工装置。
【請求項８】
長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、その幅が該第１の溝の形成方向に沿って変化した幅変化部を有することを特徴とする樹脂フィルム加工装置。
【請求項９】
前記第１の溝上では、前記樹脂フィルムに前記孔が形成され、
前記第２の溝は、前記樹脂フィルムに対して、前記中央部から前記一端側への張力を付与する機能を有し、
前記第３の溝は、前記樹脂フィルムに対して、前記中央部から前記他端側への張力を付与する機能を有する請求項１ないし８のいずれか１項に記載の樹脂フィルム加工装置。
【請求項１０】
前記第２の溝および前記第３の溝は、それぞれ、螺旋状をなす請求項１ないし９のいずれか１項に記載の樹脂フィルム加工装置。
【請求項１１】
前記樹脂フィルムは、熱可塑性樹脂で構成されており、
前記レーザ光照射部が照射する前記レーザ光は、ＣＯ２レーザ光である請求項１ないし１０のいずれか１項に記載の樹脂フィルム加工装置。
【発明の詳細な説明】
【技術分野】
【０００１】
本発明は、樹脂フィルム加工装置に関する。
【背景技術】
【０００２】
青果物には、樹脂フィルムを袋状に形成して、その袋体に包装されているものがある。この樹脂フィルムには、複数の孔が形成されている。この孔より、青果物自身の呼吸速度が調整されて、当該青果物の鮮度保持が行なわれる。
【０００３】
樹脂フィルムに複数の孔を形成する装置が従来から知られている（例えば、特許文献１参照）。この特許文献１に記載の装置は、樹脂フィルムが掛け回されつつ回転する複数のローラと、樹脂フィルムの搬送中に当該樹脂フィルムにレーザ光を照射して孔を形成するレーザ光照射部とを備えている。
【０００４】
しかしながら、特許文献１に記載の装置では、樹脂フィルムは、その搬送方向に主として引張られることとなるが、搬送方向と直交する方向、すなわち、ローラの長手方向への引張りが不十分となる。この場合、樹脂フィルムにしわがよって、樹脂フィルムのローラに対する位置がズレてしまい、その状態で、孔の形成を行なうと、その孔が正確な位置に形成されなかったり、孔の大きさにばらつきが生じてしまう。
【先行技術文献】
【特許文献】
【０００５】
【特許文献１】特開２００８−２７２８３３号公報
【発明の概要】
【発明が解決しようとする課題】
【０００６】
本発明の目的は、樹脂フィルムに孔を安定して形成することができる樹脂フィルム加工装置を提供することにある。
【課題を解決するための手段】
【０００７】
このような目的は、下記（１）〜（１１）の本発明により達成される。
（１）  長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、前記長手方向に沿って間隔をおいて複数形成されており、
前記第２の溝および前記第３の溝は、それぞれ、前記長手方向に隣り合う前記第１の溝同士の間に少なくとも１本ずつ配置され、前記第１の溝と連通していないことを特徴とする樹脂フィルム加工装置。
【０００８】
（２）  長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、前記長手方向に沿って間隔をおいて複数形成されており、
前記第２の溝および前記第３の溝は、それぞれ、前記長手方向に隣り合う前記第１の溝同士の間に少なくとも１本ずつ配置され、前記第１の溝と連通していることを特徴とする樹脂フィルム加工装置。
【０００９】
（３）  前記各第２の溝は、それぞれ、前記長手方向に対する傾斜角度が同じであり、
前記各第３の溝は、それぞれ、前記長手方向に対する傾斜角度が同じである上記（１）または（２）に記載の樹脂フィルム加工装置。
【００１０】
（４）  前記長手方向に隣り合う前記第２の溝同士は、前記長手方向に対する傾斜角度が異なり、
前記長手方向に隣り合う前記第３の溝同士は、前記長手方向に対する傾斜角度が異なる上記（３）に記載の樹脂フィルム加工装置。
【００１１】
（５）  前記長手方向に隣り合う前記第２の溝同士のうち、前記中央部側に位置する前記第２の溝の傾斜角度は、前記一端側に位置する前記第２の溝の傾斜角度よりも大きく、
前記長手方向に隣り合う前記第３の溝同士のうち、前記中央部側に位置する前記第３の溝の傾斜角度は、前記他端側に位置する前記第３の溝の傾斜角度よりも大きい上記（４）に記載の樹脂フィルム加工装置。
【００１２】
（６）  前記長手方向に隣り合う前記第２の溝同士のうち、前記中央部側に位置する前記第２の溝の傾斜角度は、前記一端側に位置する前記第２の溝の傾斜角度よりも小さく、
前記長手方向に隣り合う前記第３の溝同士のうち、前記中央部側に位置する前記第３の溝の傾斜角度は、前記他端側に位置する前記第３の溝の傾斜角度よりも小さい上記（４）に記載の樹脂フィルム加工装置。
【００１３】
（７）  長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第２の溝および前記第３の溝は、それぞれ、その深さが前記第１の溝の深さよりも浅いことを特徴とする樹脂フィルム加工装置。
【００１４】
（８）  長尺状をなす樹脂フィルムをその長手方向に沿って搬送する搬送手段であって、外形形状が円柱状をなし、その外周部に前記樹脂フィルムの長手方向の途中が接触して、掛け回されつつ回転する複数のローラを有する搬送手段と、
前記搬送手段によって搬送されている途中の前記樹脂フィルムに対してレーザ光を照射することにより、その照射された部分に孔を形成するレーザ光照射部を有する孔形成手段とを備え、
前記複数のローラのうちの少なくとも１つのローラは、前記レーザ光照射部に対向して配置されており、該ローラの外周部にその長手方向と直交する方向に沿って形成された少なくとも１本の第１の溝と、
前記外周部の前記長手方向の中央部から一端側の部分に、前記長手方向に対して傾斜して形成された少なくとも１本の第２の溝と、
前記外周部の前記中央部から他端側の部分に、前記中央部に関して前記第２の溝と対称的に傾斜して形成された少なくとも１本の第３の溝とを有し、
前記第１の溝は、その幅が該第１の溝の形成方向に沿って変化した幅変化部を有することを特徴とする樹脂フィルム加工装置。
【００１５】
（９）  前記第１の溝上では、前記樹脂フィルムに前記孔が形成され、
前記第２の溝は、前記樹脂フィルムに対して、前記中央部から前記一端側への張力を付与する機能を有し、
前記第３の溝は、前記樹脂フィルムに対して、前記中央部から前記他端側への張力を付与する機能を有する上記（１）ないし（８）のいずれかに記載の樹脂フィルム加工装置。
【００１６】
（１０）  前記第２の溝および前記第３の溝は、それぞれ、螺旋状をなす上記（１）ないし（９）のいずれかに記載の樹脂フィルム加工装置。
【００１７】
（１１）  前記樹脂フィルムは、熱可塑性樹脂で構成されており、
前記レーザ光照射部が照射する前記レーザ光は、ＣＯ２レーザ光である上記（１）ないし（１０）のいずれかに記載の樹脂フィルム加工装置。
【発明の効果】
【００２０】
本発明によれば、樹脂フィルムの搬送中、当該樹脂フィルムをその搬送方向に引張ることができることの他に、搬送方向と直交する方向、すなわち、ローラの長手方向へも引張ることができる。これにより、樹脂フィルムに孔を形成する際に、その形成を安定して行なうことができる。
【図面の簡単な説明】
【００２１】
【図１】図１は、本発明の樹脂フィルム加工装置の第１実施形態を示す正面図である。
【図２】図２は、図１に示す状態から抱き角調整機構を作動させた状態を示す正面図である。
【図３】図３は、図１に示す樹脂フィルム加工装置で樹脂フィルムに孔が形成される状態を示す断面図である。
【図４】図４は、図１に示す樹脂フィルム加工装置が備える溝付きローラの平面図である。
【図５】図５は、図４中の一点鎖線で囲まれた領域［Ａ］の拡大図である。
【図６】図６は、図１に示す樹脂フィルム加工装置が備える抱き角調整機構の正面図である。
【図７】図７は、図１に示す樹脂フィルム加工装置の主要部のブロック図である。
【図８】図８は、搬送速度と抱き角との関係を示すグラフである。
【図９】図９は、本発明の樹脂フィルム加工装置（第２実施形態）での樹脂フィルムの厚さと抱き角との関係を示すグラフである。
【図１０】図１０は、本発明の樹脂フィルム加工装置（第３実施形態）での樹脂フィルムの伸び率と抱き角との関係を示すグラフである。
【図１１】図１１は、本発明の樹脂フィルム加工装置の第４実施形態を示す正面図である。
【図１２】図１２は、図１１に示す樹脂フィルム加工装置で樹脂フィルムに孔が形成される状態を示す断面図である。
【図１３】図１３は、図１１に示す樹脂フィルム加工装置で樹脂フィルムに孔が形成される状態を示す断面図である。
【図１４】図１４は、本発明の樹脂フィルム加工装置（第５実施形態）が備える溝付きローラの平面図である。
【図１５】図１５は、本発明の樹脂フィルム加工装置（第６実施形態）が備える溝付きローラの平面図である。
【図１６】図１６は、本発明の樹脂フィルム加工装置（第７実施形態）が備える溝付きローラの平面図である。
【図１７】図１７は、本発明の樹脂フィルム加工装置（第８実施形態）が備える溝付きローラの拡大平面図である。
【図１８】図１８は、図１に示す樹脂フィルム加工装置で加工された樹脂フィルムから包装袋を製造する過程を順に示す図である。
【図１９】図１９は、図１に示す樹脂フィルム加工装置で加工され得る樹脂フィルムの他の構成例を示す斜視図である。
【図２０】図２０は、図１９中のＢ−Ｂ線断面図である。
【発明を実施するための形態】
【００２２】
以下、本発明の樹脂フィルム加工装置を添付図面に示す好適な実施形態に基づいて詳細に説明する。
【００２３】
＜第１実施形態＞
図１は、本発明の樹脂フィルム加工装置の第１実施形態を示す正面図である。図２は、図１に示す状態から抱き角調整機構を作動させた状態を示す正面図である。図３は、図１に示す樹脂フィルム加工装置で樹脂フィルムに孔が形成される状態を示す断面図である。図４は、図１に示す樹脂フィルム加工装置が備える溝付きローラの平面図である。図５は、図４中の一点鎖線で囲まれた領域［Ａ］の拡大図である。図６は、図１に示す樹脂フィルム加工装置が備える抱き角調整機構の正面図である。図７は、図１に示す樹脂フィルム加工装置の主要部のブロック図である。図８は、搬送速度と抱き角との関係を示すグラフである。図１８は、図１に示す樹脂フィルム加工装置で加工された樹脂フィルムから包装袋を製造する過程を順に示す図である。図１９は、図１に示す樹脂フィルム加工装置で加工され得る樹脂フィルムの他の構成例を示す斜視図である。図２０は、図１９中のＢ−Ｂ線断面図である。なお、以下では、説明の都合上、図１〜図３および図６中（図１１〜図１３についても同様）の上側を「上」または「上方」、下側を「下」または「下方」と言い、左側を「左」、右側を「右」と言う。また、図４中（図１４〜図１６についても同様）の左側を「左」、右側を「右」と言う。
【００２４】
図１、図２に示す樹脂フィルム加工装置（以下単に「加工装置」と言う）１は、樹脂フィルム２０に多数の孔２０１を形成する加工を施す装置である。この加工装置１は、樹脂フィルム２０を搬送する搬送手段２と、樹脂フィルム２０に孔２０１を形成する孔形成手段３と、これらの作動を制御する制御手段１０とを備えている。加工装置１の各部の構成について説明する前に、樹脂フィルム２０について説明する。
【００２５】
樹脂フィルム２０は、長尺状、すなわち、帯状をなし、加工が施される以前はロール状に巻回されており、加工が施されている最中は引き伸ばされ、加工が施された後は再度ロール状に巻回される。
【００２６】
図１８に示すように、本実施形態では、樹脂フィルム２０に多数の孔２０１が形成されており、その配置態様は、樹脂フィルム２０の長手方向に沿って等間隔に配置され、幅方向には等間隔に４つ配置されている。なお、長手方向に沿った間隔と、幅方向に沿った間隔とは、同じであってもよいし、異なっていてもよい。
【００２７】
樹脂フィルム２０は、熱可塑性樹脂で構成されており、その熱可塑性樹脂としては、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリ乳酸エチルなどのポリエステル系、ポリアミド系、ポリブタジエン系、トランスポリイソプレン系、フッ素ゴム系、ポリ塩化ビニル、ポリ塩化ビニリデンなどの塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。その他、紙、不職布等が混合されていてもよい。
【００２８】
なお、樹脂フィルム２０は、単層のものであってもよいし、複数の層が積層された積層体であってもよい。
【００２９】
図１８に示すように、樹脂フィルム２０は、加工が施されると、孔２０１が形成された孔付き樹脂フィルム２０Ａとなる。この孔付き樹脂フィルム２０Ａは、所定長さに裁断されて、例えば青果物等の食品を包装する包装袋２０Ｃとなる。孔付き樹脂フィルム２０Ａが包装袋２０Ｃとなるまでの製造工程について説明する。
【００３０】
図１８（ａ）に示すように、孔付き樹脂フィルム２０Ａを引き伸ばして、例えばはさみやカッターなどを用いて所定長さに裁断する。この裁断されたものが包装袋２０Ｃの母材２０Ｂとなる（図１８（ｂ）参照）。
【００３１】
次に、図１８（ｃ）に示すように、母材２０Ｂの幅方向の中央部を折り曲げ部２０２として、折り曲げる。
【００３２】
そして、母材２０Ｂが袋状をなるように縁部を例えば融着（熱融着、高周波融着、超音波融着等）して、図１８（ｄ）に示す包装袋２０Ｃを得る。この包装袋２０Ｃでは、表側に６つの孔２０１が３行２列の行列状に配置され、裏側にも６つの孔２０１が３行２列の行列状に配置されたものとなっている。包装袋２０Ｃに包装された青果物は、自身の呼吸速度が孔２０１より調整されて、鮮度保持が行なわれる。
このような孔加工を施すのに、加工装置１が用いられる。
【００３３】
次に、加工装置１の各部の構成について説明する。前述したように、加工装置１は、搬送手段２と、孔形成手段３と、制御手段１０とを備えている。
【００３４】
図１（図２についても同様）に示すように、搬送手段２は、樹脂フィルム２０をその長手方向に沿って搬送するものである。搬送手段２は、第１の溝２１２、第２の溝２１５および第３の溝２１６を有する溝付きローラ２１と、溝付きローラ２１に対して樹脂フィルム２０の搬送方向（以下単に「搬送方向」と言う）上流側に配置されたテンショナ２２、２３、２４、２５と、溝付きローラ２１に対して搬送方向下流側に配置されたテンショナ２６、２７、２８、２９とを有している。なお、各ローラは、それぞれ、例えばステンレス鋼等のような金属材料で構成されているのが好ましい。また、これらのローラは、中心軸（回動軸）２１４同士が同じ方向を向いており、互いに離間して配置されている。また、テンショナ２５、２６を除くローラは、例えば加工装置１全体を支持するフレーム（図示せず）に回動可能に支持されている。
【００３５】
溝付きローラ２１は、外形形状が円柱状をなし、その外周部２１１の一部に樹脂フィルム２０の長手方向の途中が接触して、掛け回されつつ回転するローラである。
【００３６】
テンショナ２２〜２９も溝付きローラ２１と同様に、外形形状が円柱状をなし、樹脂フィルム２０の長手方向の途中が接触して、掛け回されつつ回転するローラである。これにより、樹脂フィルム２０に対してその搬送方向に張力を掛けつつ、当該樹脂フィルム２０を搬送することができる。図１に示す構成では、テンショナ２２とテンショナ２９とが溝付きローラ２１に関して対称的に配置され、テンショナ２３とテンショナ２８とが溝付きローラ２１に関して対称的に配置され、テンショナ２４とテンショナ２７とが溝付きローラ２１に関して対称的に配置され、テンショナ２５とテンショナ２６とが溝付きローラ２１に関して対称的に配置されている。
【００３７】
また、搬送方向最上流側では、未だ孔２０１が形成されていない樹脂フィルム２０がロール状に巻回されている。そして、この樹脂フィルム２０を搬送方向に送出すことができる。
【００３８】
一方、搬送方向最下流側では、孔２０１が形成された樹脂フィルム２０を巻き取ることができ、その巻き取りローラにモータ１１が接続される。そして、このモータ１１の作動により、樹脂フィルム２０を搬送することができる。
【００３９】
また、モータ１１に印加する電圧の大きさを変更することにより、樹脂フィルム２０の搬送速度ｖも変更することができる。これにより、樹脂フィルム２０に対してレーザ光Ｌが当たる時間を調整することができ、よって、孔２０１の形状や大きさを変更することができる。
【００４０】
孔形成手段３は、レーザ光Ｌを照射するレーザ光照射部３１を有している。このレーザ光照射部３１は、溝付きローラ２１の上側に当該溝付きローラ２１に対向して配置され、加工装置１全体を支持する前記フレームに支持、固定されている。
【００４１】
また、レーザ光照射部３１は、レーザ光Ｌを照射する照射口３１１が各第１の溝２１２にそれぞれ臨んでいる。そして、図３に示すように、搬送途中である樹脂フィルム２０の溝付きローラ２１に接触して、掛け回された接触部２０３に、レーザ光Ｌを照射することができる。これにより、当該接触部２０３が溶融して、各第１の溝２１２上でそれぞれ孔２０１が形成される。また、接触部２０３が溶融したことで微小片が生じるが、この微小片は、一部または全部が揮散しつつ第１の溝２１２から排出される。
【００４２】
また、レーザ光照射部３１が照射するレーザ光Ｌは、樹脂フィルム２０の構成材料に応じて適宜選択され、例えば、ＣＯ２レーザ光等の遠赤外線レーザ光、Ｎｄ−ＹＡＧレーザ光等の近赤外線レーザ光、エキシマレーザ光が挙げられるが、樹脂フィルム２０の構成材料が熱可塑性樹脂の場合、ＣＯ２レーザ光であるのが好ましい。ＣＯ２レーザ光としては、波長が９．２〜１０．８μｍ程度であるのが好ましく、９．４〜１０．６μｍがより好ましい。なお、用いる波長は、樹脂フィルム２０の透過率を考慮して適宜選択して決定することができる。また、ＣＯ２レーザ光は、遠赤外線であり、例えばＣＯ２混合ガスを封入した管に高周波、高電圧をあてて励起させることによって得られ、熱可塑性樹脂で構成された樹脂フィルム２０に孔２０１を容易かつ確実に形成することができる。
【００４３】
図７に示すように、制御手段１０は、搬送手段２や孔形成手段３等と電気的に接続されており、これらの作動を制御する機能を有している。制御手段１０は、ＣＰＵ（Central Processing Unit）１０１と、メモリ１０２とを有している。
【００４４】
ＣＰＵ１０１は、樹脂フィルム２０に孔加工を施すための処理等の各種処理用のプログラムを実行することができる。
【００４５】
メモリ１０２は、例えばフラッシュメモリであり、各種プログラム等を記憶することができる。
【００４６】
加工装置１では、搬送速度ｖが大きくなればなるほど、樹脂フィルム２０の搬送中に当該樹脂フィルム２０と各ローラとの間に空気が巻き込まれて（入り込んで）、当該樹脂フィルムが波打つ、すなわち、バタつくおそれがあった。特に、孔２０１を形成する際に、樹脂フィルム２０と溝付きローラ２１との間でこのような波打った状態（以下「波打ち状態」と言う）が生じると、形成された孔２０１の大きさがばらつく等の現象が起きる。そこで、加工装置１では、このような現象を解消するのに有効な構成となっている。以下、これについて説明する。
【００４７】
図１、図２に示すように、搬送手段２では、樹脂フィルム２０の溝付きローラ２１に対する接触部２０３の抱き角（抱き角度）θを調整することができ、その調整用のための機構として抱き角調整機構４が設置されている。ここで、「抱き角」とは、接触部２０３で、搬送方向最上流側に位置する上流端２０３ａと、搬送方向最下流側に位置する下流端２０３ｂと、溝付きローラ２１を中心軸２１４方向から見たときの中心２１３とのなす角のことである。すなわち、「抱き角」とは、接触部２０３を円の弧としたときの当該弧の中心角のことである。
【００４８】
図６に示すように、抱き角調整機構４は、抱き角調整用ローラとしてのテンショナ２５、２６と、テンショナ２５、２６を上下方向に移動可能に支持する移動支持機構４１とを有している。
【００４９】
前述したように、テンショナ２５とテンショナ２６とは、溝付きローラ２１に関して対称的に配置されている。すなわち、テンショナ２５は、溝付きローラ２１に対して搬送方向上流側に隣り合って配置され、テンショナ２６は、溝付きローラ２１に対して搬送方向下流側に隣り合って配置されている。
【００５０】
移動支持機構４１は、テンショナ２５、２６を鉛直方向、すなわち、搬送方向と交差する方向に移動可能に支持する機構である。図６に示すように、移動支持機構４１は、モータ４２と、カップリング４３と、ボールねじ４４と、リニアガイド４５と、連結部材４６とで構成されている。
【００５１】
モータ４２は、例えばサーボモータやステッピングモータであり、前記フレームに固定されている。
【００５２】
ボールねじ４４は、ねじ軸４４１と、ナット４４２と、これらの間を摺動する多数個の球体（図示せず）とで構成されている。ねじ軸４４１は、その下端部がカップリング４３を介してモータ４２と連結されている。また、ねじ軸４４１の上端部は、前記フレームに支持されている。
【００５３】
リニアガイド４５は、レール部材４５１と、スライド部材４５２と、これらの間を摺動する多数個の球体（図示せず）とで構成されている。レール部材４５１は、前記フレームに鉛直方向に沿って、すなわち、ボールねじ４４と平行に支持、固定されている。
【００５４】
連結部材４６は、テンショナ２５とテンショナ２６とを連結する長尺状をなす硬質部材である。連結部材４６の左端部４６１では、テンショナ２５が回動可能に支持されており、右端部４６２では、テンショナ２６が回動可能に支持されている。また、連結部材４６は、その長手方向の中央部付近が、ボールねじ４４のナット４４２とリニアガイド４５のスライド部材４５２とに、例えばボルトを介して固定されている。
【００５５】
以上のような構成の移動支持機構４１では、モータ４２が回転動作することにより、ボールねじ４４のねじ軸４４１が回転する。そして、ねじ軸４４１とナット４４２との間で、回転運動が直線運動に変換されて、連結部材４６がテンショナ２５、２６ごと鉛直上方に向かって移動することができる。また、モータ４２が前記と反対に回転動作することにより、連結部材４６がテンショナ２５、２６ごと鉛直下方に向かって移動することができる。このように、移動支持機構４１は、テンショナ２５、２６を一括して同じ方向に移動させることができる。
【００５６】
そして、抱き角調整機構４が作動した際、すなわち、移動支持機構４１によりテンショナ２５、２６が図１に示す状態から図２に示す状態に変位した際、樹脂フィルム２０（接触部２０３）と溝付きローラ２１との接触面積が増大し、その結果、抱き角θも増大する。この抱き角θの増大により、樹脂フィルム２０の接触部２０３と溝付きローラ２１との密着の程度も増大する。これにより、樹脂フィルム２０の搬送中にこれらの間に空気が巻き込まれるのが確実に防止され、よって、波打ち状態が解消される。その結果、樹脂フィルム２０に孔２０１を安定して確実に形成することができる。
【００５７】
また、搬送速度ｖと抱き角θとの関係は、検量線としての例えば図８に示すグラフが制御手段１０のメモリ１０２に予め記憶されている。なお、検量線としては、グラフに限定されず、例えば、表（テーブル）であってもよい。制御手段１０は、例えば樹脂フィルム２０を巻き取るためのモータ１１に内蔵されたエンコーダからの情報に基づいて、搬送速度ｖを検出する。そして、その検出結果が搬送速度ｖ１であった場合には、抱き角θ１となるように抱き角調整機構４が制御される（図８参照）。また、搬送速度ｖ１よりも大きい搬送速度ｖ２であった場合には、抱き角θ１よりも大きい抱き角θ２となるように抱き角調整機構４が制御される（図８参照）。このように抱き角調整機構４は、搬送速度ｖの大小により抱き角θの大きさを調整するよう、制御手段１０によって制御されている。これにより、波打ち状態を確実に防止することができ、よって、樹脂フィルム２０に対する孔加工を安定して行なうことができる。
【００５８】
抱き角調整機構４による抱き角θの調整範囲は、０度以上、１８０度以下であるのが好ましく、３０度以上、１５０度以下であるのがより好ましい。これにより、搬送速度ｖの他、樹脂フィルム２０の厚さ、樹脂フィルム２０の伸び率等の種々の条件下で、波打ち状態を確実に防止することができる。
【００５９】
前述したように、移動支持機構４１は、テンショナ２５、２６を一括して同じ方向に移動させることができる。これにより、テンショナ２５、２６のうちの一方を移動させた場合に比べて、迅速に抱き角θを調整することができる。
【００６０】
また、抱き角調整機構４では、テンショナ２５、２６が移動した分、樹脂フィルム２０に対して搬送方向のテンションを調整することもできる。これにより、抱き角θの調整とともに、搬送速度ｖに応じて、樹脂フィルム２０の接触部２０３と溝付きローラ２１との密着の程度も調整される。これにより、波打ち状態がより確実に防止され、よって、樹脂フィルム２０に対して孔加工をより好適に施すことができる。
【００６１】
図１、図２に示すように、テンショナ２５、２６の外径は、それぞれ、溝付きローラ２１の外径よりも小さいのが好ましい。これにより、樹脂フィルム２０と溝付きローラ２１との間の滑りが少なく、樹脂フィルム２０のバタツキを低減することができる。
【００６２】
また、加工装置１で好適に加工される樹脂フィルム２０として、図１９に示す構成のものがある。この樹脂フィルム２０は、幅方向の中央部から半分（図１９中の左側）の部分に印刷２０４が施されている。そして、このような樹脂フィルム２０では、図２０に示すように、図中の左側の印刷２０４が施された部分と、それと反対側、すなわち、図中の右側の無地の部分とで、厚さが異なっている。このように、樹脂フィルム２０の幅方向に厚さが厚い部分と薄い部分とがある。例えば樹脂フィルム２０がバナナ等の青果物を包装する包装袋２０Ｃとなる場合、図２０中の左側での厚さｔleftは、３３μｍとなり、図２０中の右側での厚さｔrightは、３０μｍとなる。
【００６３】
このように幅方向に厚さが厚い部分と薄い部分とがある樹脂フィルム２０では、搬送速度ｖの大小にかかわらず、搬送中に波打ち状態となり易い。そこで、加工装置１は、前記厚い部分と前記薄い部分との厚さの差の程度によって、抱き角θの大きさを調整することができる。これにより、前述したように樹脂フィルム２０と溝付きローラ２１との密着性が向上し、よって、波打ち状態が防止されて、安定して樹脂フィルム２０に孔加工を施すことができる。
【００６４】
以上のように抱き角θが調整される溝付きローラ２１は、前述したように、第１の溝２１２と、第２の溝２１５と、第３の溝２１６とを有している。
【００６５】
図４に示すように、溝付きローラ２１の外周部２１１には、その周方向に沿った、すなわち、溝付きローラ２１の中心軸２１４方向（長手方向）と直交する方向に沿ったリング状をなす第１の溝２１２が形成されている。第１の溝２１２の本数は、図４に示す構成では４本である。この本数は、樹脂フィルム２０の幅方向に沿った孔２０１の個数と同じとなっている。前述したように、各第１の溝２１２上で樹脂フィルム２０に対してレーザ光Ｌを照射することにより、その照射された部分に孔２０１を形成することができる（図３参照）。なお、４本の第１の溝２１２の間隔は、樹脂フィルム２０に形成する孔２０１の間隔に応じたものとするのが好ましく、例えば図４に示す構成では溝付きローラ２１の中心軸２１４方向に沿って等間隔となっている。また、４本の第１の溝２１２のうち、溝付きローラ２１の外周部２１１の長手方向の中央部２１１ａから左側（一端側）にある２本の第１の溝２１２と、中央部２１１ａから右側（他端側）にある２本の第１の溝２１２とは、中央部に関して対称的に配置されている。以下では、４本の第１の溝２１２を左側から順に「第１の溝２１２ａ」、「第１の溝２１２ｂ」、「第１の溝２１２ｃ」、「第１の溝２１２ｄ」という。
【００６６】
また、溝付きローラ２１の外周部２１１の中央部２１１ａから左側の部分には、中心軸２１４方向に対して傾斜し、中央部２１１ａと反対側の端部が回転方向前方に位置し、中央部２１１ａ側の端部が溝付きローラ２１の回転方向後方に位置する多数本の第２の溝２１５が形成されている。また、中央部２１１ａから右側の部分には、中心軸２１４方向に対して傾斜し、中央部２１１ａと反対側の端部が回転方向前方に位置し、中央部２１１ａ側の端部が溝付きローラ２１の回転方向後方に位置する多数本の第３の溝２１６が形成されている。各第２の溝２１５と各第３の溝２１６とは、中央部２１１ａに関して互いに対称的に傾斜して形成されている。すなわち、各第２の溝２１５と各第３の溝２１６とは、互いの間隔ｐが、溝付きローラ２１の回転方向に向かって大きくなるように傾斜して形成されている。
【００６７】
なお、第２の溝２１５の長さ、第３の溝２１６の長さは、それぞれ、溝付きローラ２１の外周部２１１を半周した長さよりも短い。
【００６８】
図４に示すように、本実施形態では、これらの第２の溝２１５は、複数本の第２の溝２１５同士が集まった第２の溝群２１７として４箇所にまとめられている。そして、各第２の溝群２１７では、第２の溝２１５が外周部２１１の周方向に沿って等間隔に配置されている。
【００６９】
また、４つの第２の溝群２１７は、中心軸２１４方向に沿って等間隔に配置されており、第１の溝２１２ａの左側に１つの第２の溝群２１７が配置され、第１の溝２１２ａと第１の溝２１２ｂとの間に２つの第２の溝群２１７が配置され、第１の溝２１２ｂと中央部２１１ａとの間に、１つの第２の溝群２１７が配置されている。
【００７０】
第２の溝２１５と同様に、第３の溝２１６も、複数本の第３の溝２１６同士が集まった第３の溝群２１８として４箇所にまとめられている。そして、各第３の溝群２１８では、第３の溝２１６が外周部２１１の周方向に沿って等間隔に配置されている。
【００７１】
また、４つの第３の溝群２１８は、中心軸２１４方向に沿って等間隔に配置されており、中央部２１１ａと第１の溝２１２ｃとの間に、１つの第３の溝群２１８が配置され、第１の溝２１２ｃと第１の溝２１２ｄとの間に２つの第３の溝群２１８が配置され、第１の溝２１２ｄの右側に１つの第３の溝群２１８が配置されている。
【００７２】
以上のような第２の溝２１５に搬送中の樹脂フィルム２０が係合することとなる。これにより、第２の溝２１５は、樹脂フィルム２０に対して、溝付きローラ２１の中央部２１１ａから左側への張力ＴＳｌｅｆｔを付与する機能を確実に発揮することができる（図４参照）。一方、第３の溝２１６にも搬送中の樹脂フィルム２０が係合することとなる。これにより、第３の溝２１６は、樹脂フィルム２０に対して、溝付きローラ２１の中央部２１１ａから右側への張力ＴＳｒｉｇｈｔを付与する機能を確実に発揮することができる（図４参照）。そして、前述したように、第２の溝２１５と第３の溝２１６とは、中央部２１１ａに関して対称的に配置されている。これにより、張力ＴＳｌｅｆｔと張力ＴＳｒｉｇｈｔとが均等に作用し、よって、樹脂フィルム２０の搬送方向と直交する方向、すなわち、中心軸２１４方向左側または右側へのズレを確実に防止することができる。この位置ズレ防止により、樹脂フィルム２０に対して安定して孔２０１を形成することができ、また、その形成位置を正確に設定することができる。
【００７３】
また、張力ＴＳｌｅｆｔ、ＴＳｒｉｇｈｔが作用しているため、溝付きローラ２１上で樹脂フィルム２０にしわが生じるのが防止されている。これにより、孔２０１を一定の大きさで安定して形成することができる。また、孔２０１の形成位置をより正確に設定することができる。
【００７４】
また、抱き角調整機構４で抱き角θを調整することにより、張力ＴＳｌｅｆｔ、ＴＳｒｉｇｈｔも調整することができる。すなわち、抱き角θが大きくなればなるほど、樹脂フィルム２０と溝付きローラ２１との接触面積が増大して、樹脂フィルム２０の第２の溝２１５への係合の程度も増大する。この場合、張力ＴＳｌｅｆｔ、ＴＳｒｉｇｈｔが増大する。これに対し、抱き角θが小さくなればなるほど、樹脂フィルム２０と溝付きローラ２１との接触面積が減少して、樹脂フィルム２０の第２の溝２１５への係合の程度も減少する。この場合、張力ＴＳｌｅｆｔ、ＴＳｒｉｇｈｔが減少する。
【００７５】
図４に示すように、各第２の溝２１５は、それぞれ、中心軸２１４方向に対する傾斜角度β２が同じである。また、各第３の溝２１６も、それぞれ、中心軸２１４方向に対する傾斜角度β３が同じである。さらに、傾斜角度β２と傾斜角度β３も同じである。
【００７６】
なお、傾斜角度β２およびβ３は、それぞれ、１５度以上、７５度以下であるのが好ましく、３０度以上、６０度以下であるのがより好ましい。
【００７７】
このような傾斜角度により、例えば、溝付きローラ２１の製造過程で第２の溝２１５、第３の溝２１６を形成する際、その形成を容易かつ迅速に行なうことができる。また、樹脂フィルム２０が安定して搬送され、よって、樹脂フィルム２０への孔２０１の形成の安定性をさらに高めることができるという利点もある。
【００７８】
また、本実施形態では、各第２の溝２１５と各第３の溝２１６とは、それぞれ、各第１の溝２１２と連通していない。これにより、例えば、孔２０１の形成によって生じた前記微小片が、第１の溝２１２から第２の溝２１５や第３の溝２１６を介して樹脂フィルム２０に付着するのが防止される。
【００７９】
図５に示すように、第２の溝２１５の深さｄ２、第３の溝２１６の深さｄ３は、第１の溝２１２の深さｄ１よりも浅いのが好ましい。また、第２の溝２１５の幅ｗ２、第３の溝２１６の幅ｗ３は、第１の溝の幅ｗ１よりも大きいのが好ましい。
【００８０】
これは、樹脂フィルム２０に対する第２の溝２１５や第３の溝２１６による係合には、幅ｗ２、幅ｗ３の大小が影響し、深さｄ２や深さｄ３の大小はあまり影響がないからである。なお、第１の溝２１２には、前記微小片の排出をするのに十分な程度の深さｄ１と幅ｗ１が必要である。
【００８１】
深さｄ２、ｄ３は、例えば、深さｄ１の０．５％以上、３０％以下であるのが好ましく、１％以上、５％以下であるのがより好ましい。幅ｗ２、ｗ３は、例えば、幅ｗ１の１０％以上、８０％以下であるのが好ましく、２０％以上、８０％以下であるのがより好ましい。
【００８２】
＜第２実施形態＞
図９は、本発明の樹脂フィルム加工装置（第２実施形態）での樹脂フィルムの厚さと抱き角との関係を示すグラフである。
【００８３】
以下、この図を参照して本発明の樹脂フィルム加工装置の第２実施形態について説明するが、前述した実施形態との相違点を中心に説明し、同様の事項はその説明を省略する。
【００８４】
本実施形態は、抱き角の大きさを調整するときの条件が異なること以外は前記第１実施形態と同様である。
【００８５】
搬送速度ｖが一定である場合、樹脂フィルム２０が比較的厚いものと比較的薄いものとでは、薄い方が波打ち状態が生じ易い。そこで、本実施形態では、抱き角調整機構４は、樹脂フィルム２０の厚さｔの大小により抱き角θの大きさを調整するよう構成されている。
【００８６】
厚さｔと抱き角θとの関係は、検量線としての例えば図９に示すグラフが制御手段１０のメモリ１０２に予め記憶されている。加工装置１の操作者（オペレータ）によって厚さｔがメモリ１０２に入力されている。そして、その入力値が厚さｔ１であった場合には、抱き角θ３となるように抱き角調整機構４が制御される（図９参照）。また、厚さｔ１よりも厚い厚さｔ２であった場合には、抱き角θ３よりも小さい抱き角θ４となるように抱き角調整機構４が制御される（図９参照）。
【００８７】
以上のような制御により、波打ち状態を確実に防止することができ、よって、樹脂フィルム２０に対する孔加工を安定して行なうことができる。
【００８８】
＜第３実施形態＞
図１０は、本発明の樹脂フィルム加工装置（第３実施形態）での樹脂フィルムの伸び率と抱き角との関係を示すグラフである。
【００８９】
以下、この図を参照して本発明の樹脂フィルム加工装置の第３実施形態について説明するが、前述した実施形態との相違点を中心に説明し、同様の事項はその説明を省略する。
【００９０】
本実施形態は、抱き角の大きさを調整するときの条件が異なること以外は前記第１実施形態と同様である。
【００９１】
搬送速度ｖが一定である場合、樹脂フィルム２０が比較的伸び易いものと比較的伸び難いものとでは、伸び易い方が波打ち状態が生じ易い。そこで、本実施形態では、抱き角調整機構４は、樹脂フィルム２０の伸び易さ、すなわち、伸び率αの大小より抱き角θの大きさを調整するよう構成されている。
【００９２】
伸び率αと抱き角θとの関係は、検量線としての例えば図１０に示すグラフが制御手段１０のメモリ１０２に予め記憶されている。加工装置１の操作者によって伸び率αがメモリ１０２に入力されている。そして、その入力値が伸び率α１であった場合には、抱き角θ５となるように抱き角調整機構４が制御される（図１０参照）。また、伸び率α１よりも大きい伸び率α２であった場合には、抱き角θ５よりも大きい抱き角θ６となるように抱き角調整機構４が制御される（図１０参照）。
【００９３】
以上のような制御により、波打ち状態を確実に防止することができ、よって、樹脂フィルム２０に対する孔加工を安定して行なうことができる。
【００９４】
例えば、熱可塑性樹脂の１種であるポリエチレンは、比較的伸び易い樹脂材料であり、この材料で樹脂フィルム２０を構成した場合、当該樹脂フィルム２０に過剰なテンションをかけるのが困難となることがある。このようにテンションをできる限り抑えたい場合に、抱き角θを調整して波打ち状態を防止するのは、好ましい構成と言うことができる。
【００９５】
＜第４実施形態＞
図１１は、本発明の樹脂フィルム加工装置の第４実施形態を示す正面図である。図１２および図１３は、それぞれ、図１１に示す樹脂フィルム加工装置で樹脂フィルムに孔が形成される状態を示す断面図である。
【００９６】
以下、これらの図を参照して本発明の樹脂フィルム加工装置の第４実施形態について説明するが、前述した実施形態との相違点を中心に説明し、同様の事項はその説明を省略する。
本実施形態は、孔形成手段の構成が異なること以外は前記第１実施形態と同様である。
【００９７】
図１１に示すように、本実施形態では、孔形成手段３は、レーザ光照射部３１を上下方向に移動可能に支持する移動支持機構（レーザ光照射部支持機構）３２を有している。移動支持機構３２は、レーザ光照射部３１に連結された連結部材３２１と、連結部材３２１を案内するガイドレール３２２と、連結部材３２１をガイドレール３２２に沿って移動駆動させる駆動源３２３とで構成されている。
【００９８】
ガイドレール３２２は、加工装置１全体を支持する前記フレームに鉛直方向に沿って配置、固定されている。
【００９９】
駆動源３２３としては、例えば、２つのプーリと、これらプーリ間に掛け回された無端ベルトと、２つのプーリのうちの一方のプーリに連結されたモータとを有する構成とすることができる。
【０１００】
このような構成の移動支持機構３２の作動により、レーザ光照射部３１は、溝付きローラ２１の第１の溝２１２に対して接近（図１２参照）、離間（図１３参照）することができる。例えば、図１２に示す状態では、レーザ光照射部３１が溝付きローラ２１に最も接近しており、これにより、レーザ光Ｌの樹脂フィルム２０に対する照射面積が最大になり、よって、最大の孔２０１を形成することができる。また、図１３に示す状態では、レーザ光照射部３１が溝付きローラ２１に最も離間しており、これにより、レーザ光Ｌの樹脂フィルム２０に対する照射面積が最小になり、よって、最小の孔２０１を形成することができる。
【０１０１】
このように加工装置１では、レーザ光照射部３１の溝付きローラ２１に対する離間距離に応じて、孔２０１の大きさを変更することができる。
【０１０２】
＜第５実施形態＞
図１４は、本発明の樹脂フィルム加工装置（第５実施形態）が備える溝付きローラの平面図である。
【０１０３】
以下、この図を参照して本発明の樹脂フィルム加工装置の第５実施形態について説明するが、前述した実施形態との相違点を中心に説明し、同様の事項はその説明を省略する。
【０１０４】
本実施形態は、第２の溝および第３の溝の傾斜角度が異なること以外は前記第１実施形態と同様である。
【０１０５】
図１４に示すように、本実施形態では、各第２の溝群２１７では、それに属する第２の溝２１５の傾斜角度β２は、互いに同じであるが、中心軸２１４方向に隣り合う第２の溝群２１７同士では、一方の第２の溝群２１７に属する第２の溝２１５の傾斜角度β２と、他方の第２の溝群２１７に属する第２の溝２１５の傾斜角度β２とは、異なっている、すなわち、中央部２１１ａ側に位置する第２の溝２１５の傾斜角度β２は、左側に位置する第２の溝２１５の傾斜角度β２よりも大きい。
【０１０６】
各第３の溝群２１８では、それに属する第３の溝２１６の傾斜角度β３は、互いに同じであるが、中心軸２１４方向に隣り合う第３の溝群２１８同士では、一方の第３の溝群２１８に属する第３の溝２１６の傾斜角度β３と、他方の第３の溝群２１８に属する第３の溝２１６の傾斜角度β３とは、異なっている、すなわち、中央部２１１ａ側に位置する第３の溝２１６の傾斜角度β３は、右側に位置する第３の溝２１６の傾斜角度β３よりも大きい。
【０１０７】
このように本実施形態では、第２の溝２１５の傾斜角度β２と第３の溝２１６の傾斜角度β３とがそれぞれ中央部２１１ａに近づくにつれて増加しており、その増加率は、双方同じである。
【０１０８】
そして、例えば樹脂フィルム２０がその中央部付近で滑り易いものである場合、中央部２１１ａ側に位置する第２の溝２１５や第３の溝２１６によって、樹脂フィルム２０の中央部付近に対する係合が確実に行なわれる。これにより、樹脂フィルム２０に対して張力ＴＳｌｅｆｔ、ＴＳｒｉｇｈｔを確実に付与することができる。
【０１０９】
＜第６実施形態＞
図１５は、本発明の樹脂フィルム加工装置（第６実施形態）が備える溝付きローラの平面図である。
【０１１０】
以下、この図を参照して本発明の樹脂フィルム加工装置の第６実施形態について説明するが、前述した実施形態との相違点を中心に説明し、同様の事項はその説明を省略する。
【０１１１】
本実施形態は、第２の溝および第３の溝の傾斜角度が異なること以外は前記第１実施形態と同様である。
【０１１２】
図１５に示すように、本実施形態では、中央部２１１ａ側に位置する第２の溝２１５の傾斜角度β２は、左側に位置する第２の溝２１５の傾斜角度β２よりも小さい。また、中央部２１１ａ側に位置する第３の溝２１６の傾斜角度β３は、右側に位置する第３の溝２１６の傾斜角度β３よりも小さい。
【０１１３】
このように本実施形態では、第２の溝２１５の傾斜角度β２と第３の溝２１６の傾斜角度β３とがそれぞれ中央部２１１ａから遠ざかるに従って減少しており、その減少率は、双方同じである。
【０１１４】
そして、例えば樹脂フィルム２０がその左側の縁部や右側の縁部付近で滑り易いものである場合、左側に位置する第２の溝２１５や右側に位置する第３の溝２１６によって、樹脂フィルム２０の各縁部付近に対する係合が確実に行なわれる。これにより、樹脂フィルム２０に対して張力ＴＳｌｅｆｔ、ＴＳｒｉｇｈｔを確実に付与することができる。
【０１１５】
＜第７実施形態＞
図１６は、本発明の樹脂フィルム加工装置（第７実施形態）が備える溝付きローラの平面図である。
【０１１６】
以下、この図を参照して本発明の樹脂フィルム加工装置の第７実施形態について説明するが、前述した実施形態との相違点を中心に説明し、同様の事項はその説明を省略する。
【０１１７】
本実施形態は、第２の溝および第３の溝の形状が異なること以外は前記第１実施形態と同様である。
【０１１８】
図１６に示すように、本実施形態では、第２の溝２１５は、溝付きローラ２１の中央部２１１ａから左側に向かって連続的に形成され、螺旋状をなしている。これにより、第２の溝２１５は、第１の溝２１２ａ、２１２ｂと連通する。
【０１１９】
第３の溝２１６は、溝付きローラ２１の中央部２１１ａから右側に向かって連続的に形成され、螺旋状をなしている。これにより、第３の溝２１６は、第１の溝２１２ｃ、２１２ｄと連通する。
【０１２０】
そして、例えば、孔２０１の形成によって生じた前記微小片が、第１の溝２１２から第２の溝２１５や第３の溝２１６に入り込んだとしても、溝付きローラ２１が回転中であるため、当該微小片は、その入り込んだ溝を通過することができ、よって、溝付きローラ２１の左側または右側に向かって排出される。また、樹脂フィルム２０と溝付きローラ２１との密着性が向上するという利点もある。
【０１２１】
＜第８実施形態＞
図１７は、本発明の樹脂フィルム加工装置（第８実施形態）が備える溝付きローラの拡大平面図である。
【０１２２】
以下、この図を参照して本発明の樹脂フィルム加工装置の第８実施形態について説明するが、前述した実施形態との相違点を中心に説明し、同様の事項はその説明を省略する。
本実施形態は、第１の溝の形状が異なること以外は前記第１実施形態と同様である。
【０１２３】
図１７に示すように、本実施形態では、各第１の溝２１２は、それぞれ、その幅ｗ１が当該第１の溝２１２の形成方向に沿って変化した、すなわち、中心軸２１４回りの回転方向に向かって漸減した幅変化部２１９を有している。幅変化部２１９は、第１の溝２１２の形成方向に沿って多数設けられている。
【０１２４】
このような幅変化部２１９により、樹脂フィルム２０の搬送方向と反対方向への滑りを防止することができ、よって、当該樹脂フィルム２０を確実に搬送することができる。
【０１２５】
以上、本発明の樹脂フィルム加工装置を図示の実施形態について説明したが、本発明は、これに限定されるものではなく、樹脂フィルム加工装置を構成する各部は、同様の機能を発揮し得る任意の構成のものと置換することができる。また、任意の構成物が付加されていてもよい。
【０１２６】
また、本発明の樹脂フィルム加工装置は、前記各実施形態のうちの、任意の２以上の構成（特徴）を組み合わせたものであってもよい。
【０１２７】
また、溝付きローラでの溝の形成数は、前記各実施形態では樹脂フィルムの幅方向に沿った孔の個数と同じとなっているが、これに限定されず、樹脂フィルムの幅方向に沿った孔の個数よりも多ければよい。この場合、各孔の樹脂フィルムの幅方向の加工位置の自由度を向上させることができる。
【０１２８】
また、溝付きローラでの第１の溝、第２の溝、第３の溝の形成数は、それぞれ、特に限定されず、前記各実施形態では複数本であるが、１本以上であればよい。
【０１２９】
また、溝付きローラ２１の中心軸方向に隣り合う第１の溝同士の間には、前記各実施形態では第２の溝および第３の溝がそれぞれ複数ずつ配置されているが、配置本数はこれに限定されず、１本ずつ配置されていればよい。
【０１３０】
また、樹脂フィルムに対するレーザの照射方向は、前記各実施形態では溝付きローラでの溝に向けているが、これに限定されず、樹脂フィルムが波打ち状態となっていない場合には、溝付きローラに接する手前に向けていてもよい。
【０１３１】
また、樹脂フィルムの搬送方向上流側にあるテンショナと、樹脂フィルムの搬送方向下流側にあるテンショナとは、前記各実施形態では溝付きローラに関して対称的に配置されているが、これに限定されず、非対称であってもよい。
また、搬送手段では、テンショナ同士の間にアイドラが配置されていてもよい。
【０１３２】
また、抱き角調整機構の抱き角調整用ローラは、前記各実施形態では溝付きローラ２１に対して樹脂フィルムの搬送方向上流側および下流側の双方に配置されているが、これに限定されず、例えば、搬送方向上流側および下流側の一方に配置されていてもよい。
【０１３３】
また、抱き角調整機構は、前記各実施形態では２つの抱き角調整用ローラを一括して同じ方向に移動させるよう構成されているが、これに限定されず、各抱き角調整用ローラをそれぞれ独立して移動させるよう構成されていてもよい。
【０１３４】
また、樹脂フィルム加工装置は、抱き角調整機構を構成するローラ（テンショナ）が上下可動する際に、ローラ間の平行を維持する機構を備えていてもよい。この場合、各ローラの平行度のズレを防止することができる。これにより、樹脂フィルムの弛みや波打ちの誘発を低減することができる。
また、本発明の樹脂フィルム加工装置では、抱き角調整機構を省略してもよい。
【符号の説明】
【０１３５】
１            樹脂フィルム加工装置（加工装置）
２            搬送手段
２１          溝付きローラ
２１１        外周部
２１１ａ      中央部
２１２、２１２ａ、２１２ｂ、２１２ｃ、２１２ｄ  第１の溝
２１３        中心
２１４        中心軸（回動軸）
２１５        第２の溝
２１６        第３の溝
２１７        第２の溝群
２１８        第３の溝群
２１９        幅変化部
２２、２３、２４、２５、２６、２７、２８、２９  テンショナ
３            孔形成手段
３１          レーザ光照射部
３１１        照射口
３２          移動支持機構（レーザ光照射部支持機構）
３２１        連結部材
３２２        ガイドレール
３２３        駆動源
４            抱き角調整機構
４１          移動支持機構
４２          モータ
４３          カップリング
４４          ボールねじ
４４１        ねじ軸
４４２        ナット
４５          リニアガイド
４５１        レール部材
４５２        スライド部材
４６          連結部材
４６１        左端部
４６２        右端部
１０          制御手段
１０１        ＣＰＵ（Central Processing Unit）
１０２        メモリ
１１          モータ
２０          樹脂フィルム
２０Ａ        孔付き樹脂フィルム
２０Ｂ        母材
２０Ｃ        包装袋
２０１        孔
２０２        折り曲げ部
２０３        接触部
２０３ａ      上流端
２０３ｂ      下流端
２０４        印刷
Ｌ            レーザ光
ＴＳｌｅｆｔ  ＴＳｒｉｇｈｔ  張力
ｄ１、ｄ２、ｄ３  深さ
ｐ            間隔
ｔ、ｔ１、ｔ２、ｔleft、ｔright  厚さ
ｖ、ｖ１、ｖ２  搬送速度
ｗ１、ｗ２、ｗ３  幅
α、α１、α２  伸び率
β２、β３    傾斜角度
θ、θ１、θ２、θ３、θ４、θ５、θ６  抱き角（抱き角度）
【図１】
0006405724.tif 000002
【図２】
0006405724.tif 000003
【図３】
0006405724.tif 000004
【図４】
0006405724.tif 000005
【図５】
0006405724.tif 000006
【図６】
0006405724.tif 000007
【図７】
0006405724.tif 000008
【図８】
0006405724.tif 000009
【図９】
0006405724.tif 000010
【図１０】
0006405724.tif 000011
【図１１】
0006405724.tif 000012
【図１２】
0006405724.tif 000013
【図１３】
0006405724.tif 000014
【図１４】
0006405724.tif 000015
【図１５】
0006405724.tif 000016
【図１６】
0006405724.tif 000017
【図１７】
0006405724.tif 000018
【図１８】
0006405724.tif 000019
【図１９】
0006405724.tif 000020
【図２０】
0006405724.tif 000021